(57)【特許請求の範囲】
【請求項１】
金属製ポールに装着された灯具筐体と、該筐体に開閉可能に取り付けられた蓋体と、該蓋体の内面に熱接触して取付けられるＶ字状の取付金具を介して設けられた複数のＬＥＤ素子を配置した基板と、該基板の近傍に設けられた反射板と、前記ＬＥＤ素子を発光させる電源装置とからなる街灯用照明器具において、前記灯具筐体はＡｌ合金ダイキャストから形成され、また前記蓋体はＡｌ・Ｍｇ合金から形成され、前記基板は前記蓋体に熱接触して取付けられることを特徴とする街灯用照明器具。
【発明の詳細な説明】
【技術分野】
【０００１】
本発明は、街灯用照明器具であって、とくに照明器具の灯具の発生する熱エネルギーを効率よく放熱することができる街灯用照明器具に関するものである。
【背景技術】
【０００２】
従来、道路や舗道等の路面及び壁面を照明する灯具には、高輝度ランプや蛍光ランプが光源として用いられてきた。また、この光源の光を路面に均一に照射させるために反射鏡が使用されている。しかし、これらの光源はランプを駆動させるために１００Ｗを越える消費電力を必要とし、しかもランプの寿命が短いため多大の経費が掛かると同時に、環境負荷が大きいという問題があった。
【０００３】
そこで、これら従来の光源に替わって、ＬＥＤ素子を使用する街灯用照明器具が多数提案されている。このＬＥＤ素子を使った照明器具は、消費電力が少なく、長寿命であり多様な利用が期待されている。
【０００４】
しかしながら、ＬＥＤ素子は素子本体からの発熱や、周囲の温度上昇によって劣化する虞があるものであり、適度の冷却を必要となる。そのため、照明装置の灯具本体を溶融点の異なる多種類の金属材料で段階的に鋳造して、高い放熱効果を持たせた照明措置が提案されている（特許文献１参照。）。
【先行技術文献】
【特許文献】
【０００５】
【特許文献１】特開２００９−１８７９３０号公報
【発明の概要】
【発明が解決しようとする課題】
【０００６】
上記特許文献１に提案されている技術は、灯具本体を溶解点の異なる多種類の金属材料を段階的に加熱溶融方式で鋳造するものであり、灯具本体に高い放熱効果を持たせるものであるが、製造工程が複雑であり、多大の時間と経費を必要とした。
【０００７】
上記の問題点に鑑み本発明者らは、消費電力の少ないＬＥＤ素子を複数実装したＬＥＤ基板を灯具として採用し、街灯用照明器具を提供するに至った。
【課題を解決するための手段】
【０００８】
このため本発明の街灯用照明器具は、金属製ポールに装着された灯具筐体と、該筐体に開閉可能に取り付けられた蓋体と、複数のＬＥＤ素子を配置した基板と、該基板の近傍に設けられた反射板と、前記ＬＥＤ素子を発光させる電源装置とからなり、前記灯具筐体は軽金属製ダイキャストで形成され、また前記蓋体は前記筐体より熱伝導率が高い金属材料で形成され、前記基板は前記蓋体に熱接触して取付けられることを第一の特徴とする。
【０００９】
また、前記軽金属製ダイキャストは、Ａｌ合金ダイキャストであり、且つ前記蓋体を形成する金属材料はＡｌ・Ｍｇ合金であることを第二の特徴とする。
【発明の効果】
【００１０】
本発明に係る街灯用照明器具によれば、灯具筐体は軽金属製ダイキャストで形成され、また前記蓋体は前記灯具本体より熱伝導率が高い金属材料で形成される構成であるため、街灯用照明器具に必要な強度を維持しながら、灯具である基板からの発熱を高い効率で放熱できるという効果を有する。
【００１１】
そして、前記軽金属製ダイキャストは、Ａｌ合金ダイキャストであり、且つ前記蓋体を形成する金属材料はＡｌ・Ｍｇ合金を使用したため、それぞれ別体で製造できるため生産性に優れる。
【図面の簡単な説明】
【００１２】
【図１】本発明に係る街灯用照明器具の一実施例を示す正面説明図である。
【図２】図１の側面説明図である。
【図３】図１のＡ−Ａ線断面説明図である。
【図４】本発明に係る街灯用照明器具の他の実施例を示す説明図である。
【発明を実施するための形態】
【００１３】
以下、本発明を実施例を示す図面を参照しながら説明するが、本発明が本実施例に限定されないことは言うまでもない。図１は本発明の街灯用照明器具の一実施例を示す正面説明図、図２は図１の側面説明図、図３は図１のＡ−Ａ線断面説明図、図４は本発明に係る街灯用照明器具の他の実施例を示す説明図である。
【実施例】
【００１４】
図１乃至図３に示すように、本発明の街灯用照明器具１は開口部２を形成した、Ａｌ合金ダイキャストからなる筐体３と、この筐体３に開閉可能に取付けられる蓋体である後部カバー４と、この後部カバー４の内面側に熱接触して取付けられるＬＥＤ基板５と、ＬＥＤ基板５の近傍に配置される反射板６とから構成され、筐体３に設けられた取付孔部７に金属製ポール８が装着され、電源装置（図示せず）からケーブル図示せず）を介してＬＥＤ基板５に電力供給される。
【００１５】
筐体３は、通常のダイキャストに使用されるＡｌ合金（例えばＪＩＳ記号  ＡＤＣ１２）で形成されており、この筐体３の下部一端側開口部２１には強化ガラス９が嵌入され、他端側には上述した金属製ポール８を挿入可能な取付孔部７が形成されており、この取付孔部７に金属製ポール８を挿入しボルト（図示せず）によって固定される。
【００１６】
後部カバー４は、筐体３のＡｌ合金と比較して熱伝導性に優れるＡｌ・Ｍｇ合金（例えばＪＩＳ記号  ＡＬ５０５２）で形成された蓋体であり、内面側は平坦に形成されており、正面視Ｖ字形状に形成された取付金具１０が熱接触して取付られ、この取付金具１０を介してＬＥＤ基板５が取付けられる。そして筐体３の上部に蝶番１１を介して開閉可能に取付けられ、開閉ストッパー１２によって開位置で固定可能とされる。また、後部カバー４を筐体３に閉める際には、開閉ストッパー１２の固定を解除して筐体３方向へ傾動して固定される。尚、取付金具１０の素材は後部カバー４と同じＡｌ・Ｍｇ合金が使用される。
【００１７】
ＬＥＤ基板５は、熱伝導性に優れるアルミ製の基材表面に絶縁体を介して回路が形成され、さらにＬＥＤ素子（図示せず）が表面に実装されている。そして、後述する後部カバー４の内面側に、上述した取付金具１０を介して熱接触して取付けられる。尚、本実施例においては４枚のＬＥＤ基板５が取付られている。
【００１８】
反射板６はアルミ製で、その表面に高純度のチタン及びシリコンをコーティングし反射率が９０％以上とされた鏡面板であり、ＬＥＤ基板５から照射される光を効率よく反射して強化ガラス９を通して照射する。
【００１９】
上記の構成からなる本発明の街灯用照明器具は、剛性を有するＡｌ合金ダイキャストで形成された筐体と、このＡｌ合金ダイキャストより熱伝導率の高いＡｌ合金で形成された後部カバーとが開閉可能に取付けられ、また、ＬＥＤ基板は前記蓋体に熱接触して取付けられているため、街灯用照明器具に必要な強度を維持しながら、灯具であるＬＥＤ基板からの発熱を高い効率で放熱できる。
【００２０】
図４は、本発明の街灯用照明器具の他の実施例を示している。図において筐体、強化ガラス及び基板は上述した実施例と同じであり詳細説明は省略する。
【００２１】
図に示すように、本発明の街灯用照明器具１００は、筐体３と、この筐体３に開閉可能に取付けられる蓋体である後部カバー４と、該筐体３の基部カバー４１と、から構成され、筐体３に設けられた取付孔部７に金属製ポール８が装着されている。尚、灯具である基板（図示せず）は上述した実施例と同様に蓋体の内側に取付金具（図示せず）を介して熱接触して取付けられる。
【００２２】
後部カバー４は、筐体３のＡｌ合金と比較して熱伝導性に優れるＡｌ・Ｍｇ合金（例えばＪＩＳ記号  ＡＬ５０５２）で形成され、また基部カバー４１は筐体３と同じＡｌ合金（例えばＪＩＳ記号  ＡＤＣ１２）で形成されており、蝶番１１、１１によって観音開き可能に取付けられ、開閉ストッパー１２、１２によって開閉可能とされる。
【００２３】
上記の構成からなる本発明の街灯用照明器具は、灯具筐体は軽金属製ダイキャストで形成され、また前記蓋体は前記灯具本体より熱伝導率が高い金属材料で形成される構成であるため、街灯用照明器具に必要な強度を維持しながら、灯具である基板からの発熱を高い効率で放熱できる。
【００２４】
以上の構成からなる本発明の街灯用照明器具は、消費電力の少ないＬＥＤ照明器具を使用すると共に、熱伝導率の異なる２種の材料を使用して灯具本体を形成し、ＬＥＤ基板から発生する熱を効率よく放熱できる。さらに２種の材料を夫々別体で形成しているため、生産性に優れる。
【符号の説明】
【００２５】
１、１００      街灯用照明器具
２、２１        開口部
３              筐体
４              後部カバー
４１              基部カバー
５              ＬＥＤ基板
６              反射板
７              取付孔部
８              金属製ポール
９              強化ガラス
１０              取付金具
１１              蝶番
１２              開閉ストッパー
【図１】
0005504933.tif 000002
【図２】
0005504933.tif 000003
【図３】
0005504933.tif 000004
【図４】
0005504933.tif 000005